(57)【特許請求の範囲】
【請求項１】
天井の穴に埋め込まれて使用され、無線端末をネットワークに接続する通信装置であって、
前記ネットワークと前記通信装置とを接続する通信ケーブルが接続される上面を有し、前記上面の側から前記天井の穴に埋め込まれる埋込部を有する筐体と、
前記埋込部の前記上面の周縁に配置された少なくとも１対のスプリングヒンジと、を備え、
少なくとも１対の前記スプリングヒンジそれぞれは、
回転可能に連結された第１及び第２のプレートと、
前記第１及び第２のプレートに対して回転圧力を加えるスプリングと、を備え、
前記第１のプレートは、前記第２のプレートが垂直回転できるように、前記埋込部の前記上面の周縁に直接的或いは間接的に固定されており、
前記第２のプレートは前記垂直回転に伴い前記埋込部の前記上面の周縁の側方に突出する、
通信装置。
【請求項２】
前記スプリングヒンジは、前記第２のプレートが前記上面の周縁の側方に突出しているときに、前記第２のプレートに下向きの前記回転圧力が加わるよう固定されている、
請求項１に記載の通信装置。
【請求項３】
前記第２のプレートは水平状態から更に下側への回転が可能であり、
前記第２のプレートには、前記第２のプレートを動径方向の外側に向けて延伸する第３のプレートが固定されている、
請求項２に記載の通信装置。
【請求項４】
前記第３のプレートの前記動径方向の外側の端部は、前記第２のプレートの内面側に向けて湾曲している、
請求項３に記載の通信装置。
【請求項５】
前記第３のプレートは、
前記第２のプレートを動径方向の外側に向けて延伸する延伸部と、
前記延伸部の前記動径方向の外側に位置し、前記第３のプレートを前記第２のプレートの外面側に向けて湾曲或いは屈曲させる曲部と、を備える、
請求項３に記載の通信装置。
【請求項６】
天井の穴に埋め込まれて使用され、無線端末をネットワークに接続する通信装置の送信機であって、
前記ネットワークと前記通信装置とを接続する通信ケーブルが接続される上面を有し、前記上面の側から前記天井の穴に埋め込まれる埋込部を有する筐体と、
前記埋込部の前記上面の周縁に配置された少なくとも１対のスプリングヒンジと、を備え、
少なくとも１対の前記スプリングヒンジそれぞれは、
回転可能に連結された第１及び第２のプレートと、
前記第１及び第２のプレートに対して回転圧力を加えるスプリングと、を備え、
前記第１のプレートは、前記第２のプレートが垂直回転できるように、前記埋込部の前記上面の周縁に直接的或いは間接的に固定されており、
前記第２のプレートは前記垂直回転に伴い前記埋込部の前記上面の周縁の側方に突出する、
送信機。
【請求項７】
天井に埋め込まれて使用され、無線端末をネットワークに接続する通信装置の受信機であって、
前記ネットワークと前記通信装置とを接続する通信ケーブルが接続される上面を有し、前記上面の側から前記天井の穴に埋め込まれる埋込部を有する筐体と、
前記埋込部の前記上面の周縁に配置された少なくとも１対のスプリングヒンジと、を備え、
少なくとも１対の前記スプリングヒンジそれぞれは、
回転可能に連結された第１及び第２のプレートと、
前記第１及び第２のプレートに対して回転圧力を加えるスプリングと、を備え、
前記第１のプレートは、前記第２のプレートが垂直回転できるように、前記埋込部の前記上面の周縁に直接的或いは間接的に固定されており、
前記第２のプレートは前記垂直回転に伴い前記埋込部の前記上面の周縁の側方に突出する、
受信機。
【発明の詳細な説明】
【技術分野】
【０００１】
本発明の実施態様は、通信機、送信機、及び受信機に関する。
【背景技術】
【０００２】
無線通信の利用が活発になってきている。屋内でも無線端末を利用可能にするため、通信装置（送受信機）を屋内に設置することがある。
【先行技術文献】
【特許文献】
【０００３】
【特許文献１】実開昭６２−４０１７号公報
【発明の概要】
【発明が解決しようとする課題】
【０００４】
多くの通信装置が屋内に設置されると、屋内の景観は悪いものになる。屋内の景観を悪くしないためには、これらの装置は天井に埋め込まれるのが望ましい。しかしながら、これらの機器を天井に設置するのは容易なことではない。
【０００５】
本発明が解決しようとする課題は、天井への設置が容易な通信装置、送信機、及び受信機を提供することである。
【課題を解決するための手段】
【０００６】
実施形態の通信装置は、天井に埋め込まれて使用され、無線端末をネットワークに接続する。通信装置は、ネットワークと通信装置とを接続する通信ケーブルが接続される上面を有し、上面の側から天井の穴に埋め込まれる埋込部を有する筐体と、埋込部の上面の周縁に配置された少なくとも１対のスプリングヒンジと、を備える。少なくとも１対のスプリングヒンジそれぞれは、回転可能に連結された第１及び第２のプレートと、第１及び第２のプレートに対して回転圧力を加えるスプリングと、を備える。第１のプレートは、第２のプレートが垂直回転できるように、埋込部の上面の周縁に直接的或いは間接的に固定されている。第２のプレートは垂直回転に伴い埋込部の上面の周縁の側方に突出する。
【図面の簡単な説明】
【０００７】
【図１】（Ａ）は実施形態１の通信装置を底面側から見た斜視図、（Ｂ）は実施形態１の通信装置を上面側から見た斜視図である。
【図２】実施形態１の通信装置が天井に設置された様子を示す図である。
【図３】実施形態１の通信装置の側面図である。
【図４】（Ａ）はスプリングヒンジの斜視図、（Ｂ）はスプリングヒンジの正面図である。
【図５】（Ａ）は天井に通信装置を埋め込むための穴を開けた様子を示す図、（Ｂ）は実施形態１の通信装置に通信ケーブルを接続した様子を示す図である。
【図６】実施形態１の通信装置に配置されたスプリングヒンジを垂直状態にした様子を示す図である。
【図７】（Ａ）は実施形態１の通信装置を天井に開けた穴に挿入した様子を示す図、（Ｂ）は実施形態１の通信装置がスプリングヒンジによって持ち上げられた様子を示す図である。
【図８】（Ａ）は実施形態２の通信装置を底面側から見た図、（Ｂ）は実施形態２の通信装置を上面側から見た図である。
【図９】（Ａ）は通信装置設置の補助部品となる第３のプレートが取り付けられたスプリングヒンジの斜視図、（Ｂ）は第３のプレートが取り付けられたスプリングヒンジの正面図である。
【図１０】実施形態２の通信装置に通信ケーブルを接続した様子を示す図、（Ｂ）はテープを使って第３のプレートを垂直状態で固定した様子を示す図である。
【図１１】第３のプレートの上側を天井の穴に挿入した様子を示す図である。
【図１２】（Ａ）は第３のプレートからテープを取り外した様子を示す図、（Ｂ）は実施形態２の通信装置がスプリングヒンジによって持ち上げられた様子を示す図である。
【図１３】埋込部の厚さが厚い通信装置が第３のプレートによって持ち上げられた様子を示す図である。
【図１４】スプリングヒンジを１つのみ有する通信装置を示す図である。
【図１５】（Ａ）は端部が外面側に向けて湾曲した第３のプレートを備える通信装置を示す図、（Ｂ）は端部が外面側に向けて屈曲した第３のプレートを備える通信装置を示す図である。
【図１６】２箇所の曲部を備える第３のプレートを示す図である。
【図１７】図１６に示す第３のプレートを備える通信装置を示す図である。
【図１８】（Ａ）は埋込部の厚さが薄い通信装置を天井に設置した様子を示す図、（Ｂ）は埋込部の厚さが厚い通信装置を天井に設置した様子を示す図である。
【発明を実施するための形態】
【０００８】
以下、発明を実施するための形態について図面を参照しながら説明する。なお、図中、同一または同等の部分には同一の符号を付す。
【０００９】
（実施形態１）
図１（Ａ）及び図１（Ｂ）は、実施形態１の通信装置１の斜視図である。図１（Ａ）は通信装置１を底面側から見た図であり、図１（Ｂ）は通信装置１を上面側から見た図である。通信装置１は、無線端末をネットワークに接続するための無線通信機器、例えば、無線ＬＡＮアクセスポイント、或いはＢｌｕｅｔｏｏｔｈ（登録商標）通信機である。通信装置１は、図２（Ａ）及び図２（Ｂ）に示すように、建物の天井（例えば、天井板Ｂに開けられた穴Ｈ）に埋め込まれて使用される。なお、以下の説明では、天井板のことを単に天井と呼ぶ。
【００１０】
通信装置１は、図１（Ｂ）に示すように、筐体１０と、複数のスプリングヒンジ２０と、を備える。
【００１１】
筐体１０は、通信装置１の無線通信機能を実現する各種部品を格納するための筐体である。筐体１０の内部には、例えば、無線端末から電波を受信する受信部、無線端末へ電波を送信する送信部、ネットワークに接続された機器（例えば、ルータ、サーバ等。以下、ネットワーク接続機器という。）と通信ケーブルを介して通信する通信部等が格納されている。図３は、通信装置１の側面図である。筐体１０は、埋込部１０ａと、露出部１０ｂと、から構成される。
【００１２】
埋込部１０ａは、通信装置１の設置時に天井Ｂに埋め込まれてユーザから見えなくなる部分である。また、露出部１０ｂは、通信装置１の設置時に天井Ｂから露出する部分である。埋込部１０ａおよび露出部１０ｂの形状は任意である。本実施形態の埋込部１０ａは円柱形をしており、露出部１０ｂは円盤形をしている。露出部１０ｂの水平方向の大きさは埋込部１０ａの水平方向の大きさよりも一回り大きい。そのため、露出部１０ｂの周縁は埋込部１０ａの側方に突出した状態となる。通信装置１の設置時、露出部１０ｂの周縁が天井Ｂに引っかかることにより、通信装置１全体が穴Ｈに入り込むことが防止される。
【００１３】
埋込部１０ａの上面には、通信ケーブルコネクタ１１と、電源ケーブルコネクタ１２とが配置されている。通信ケーブルコネクタ１１は、ＬＡＮ（Local Area Network）ケーブル、ＵＳＢ（Universal Serial Bus）ケーブル等の通信ケーブルを接続するためのコネクタである。また、電源ケーブルコネクタ１２は、通信装置１に給電するための電源ケーブルを接続するためのコネクタである。
【００１４】
埋込部１０ａの上面には、２個のスプリングヒンジ２０が配置されている。２個のスプリングヒンジ２０は、図１（Ｂ）に示すように、埋込部１０ａの上面の端部に設置されている。２個のスプリングヒンジ２０は、埋込部１０ａの上面の中心を挟んで対向する位置に配置されている。
【００１５】
図４（Ａ）はスプリングヒンジ２０の斜視図である。スプリングヒンジ２０は、スプリング付の平蝶番である。スプリングヒンジ２０は、プレート２１（第１のプレート）と、プレート２２（第２のプレート）と、スプリング２３と、シャフト２４と、を備える。２枚のプレート２１、２２は、シャフト２４を軸に回転可能に連結されている。スプリング２３は、例えば、コイルバネである。スプリング２３は、シャフト２４に配置されており、２枚のプレート２１、２２に対して回転圧力を加える。なお、以下の説明では、スプリング２３がプレート２１、２２に回転圧力を加えたときの、プレート２１或いはプレート２２の進行方向側の面のことを外面、その反対側の面のことを内面という。図４（Ａ）の例であれば、外面は下側の面であり、内面は上側の面である。
【００１６】
スプリングヒンジ２０は、図３に示すように、埋込部１０ａに固定される。より具体的には、プレート２１が埋込部１０ａの上面に固定される。プレート２１は、シャフト２４が埋込部１０ａの上面の端部（周縁）に位置するよう固定される。
【００１７】
図４（Ｂ）はスプリングヒンジ２０の正面図である。プレート２１は、回転軸となるシャフト２４が水平方向を向くように固定される。これにより、プレート２２は、シャフト２４を軸に垂直回転が可能となる。スプリングヒンジ２０はシャフト２４が埋込部１０ａの端部に位置するよう固定されているので、プレート２２は垂直回転により埋込部１０ａの側方に突出する。
【００１８】
スプリングヒンジ２０は、外面が下側になるよう固定されている。そのため、プレート２２が埋込部１０ａの側方に突出したときには、プレート２２には下向き（図面白抜き矢印の方向）に回転圧力が加わる。スプリングヒンジ２０は、プレート２２が水平状態から更に下側への回転が可能となるよう構成されている。
【００１９】
次に、このような構成を有する通信装置１の設置方法を説明する。
【００２０】
まず、ユーザは天井Ｂに埋込部１０ａの径より若干大きな径の穴Ｈを開ける。図５（Ａ）は天井Ｂに穴Ｈを開けた様子を示す図である。そして、ユーザは、天井裏を這わせた通信ケーブルＣを穴Ｈから引き出す。通信ケーブルＣが、ＬＡＮケーブル等の給電できないタイプのケーブルの場合は、電源ケーブルも穴Ｈから引き出す。勿論、通信ケーブルＣが給電できるタイプのケーブル（例えば、ＵＳＢケーブル）の場合も、電源ケーブルを穴Ｈから引き出してもよい。そして、ユーザはこれらのケーブルを通信装置１に接続する。図５（Ｂ）は通信装置１に通信ケーブルＣを接続した様子を示す図である。
【００２１】
次に、ユーザは、通信装置１を穴Ｈに嵌め込むことができるように、２個のスプリングヒンジ２０を手で押さえる等して垂直状態にする。図６はスプリングヒンジ２０を垂直状態にした様子を示す図である。そして、ユーザはスプリングヒンジ２０を垂直状態に維持したまま通信装置１を穴Ｈに嵌め込む。
【００２２】
図７（Ａ）及び図７（Ｂ）は通信装置１を穴Ｈに嵌め込んだ様子を示す図である。通信装置１が穴Ｈに嵌め込まれると、スプリングヒンジ２０のプレート２２はスプリング２３から加えられる回転圧力によって垂直回転する。そして、プレート２２は、図７（Ｂ）に示すように、埋込部１０ａの側方に突出し、天井Ｂの裏面（上面）に引っかかる。プレート２２にはスプリング２３によって下向き（図７（Ｂ）に示す白抜き矢印の方向）の回転圧力が加えられている。そのため、プレート２２は垂直回転することにより天井Ｂの裏面に下向きに圧力を加える。この反作用で筐体１０が持ち上がる。その後、露出部１０ｂの端部（周縁）が天井Ｂの表面（下面）に引っかかることにより、通信装置１の設置が完了する。
【００２３】
本実施形態によれば、通信装置１はスプリングヒンジ２０を備えているので、通信装置１の天井Ｂへの設置は容易である。ユーザは、プレート２２を押さえて通信装置１を穴Ｈに嵌め込むだけでよい。プレート２２はスプリング２３によって下向きの回転圧力が加わるよう構成されているので、通信装置１は穴Ｈに嵌め込まれた後、自動的に持ち上がる。よって、ユーザは通信装置１を穴に嵌め込むために大きな力を要しない。
【００２４】
（実施形態２）
実施形態１の通信装置１はスプリングヒンジ２０をそのまま筐体１０に取り付けた。しかしながら、スプリングヒンジ２０には通信装置設置のための補助部品が取り付けられていてもよい。以下、実施形態２の通信装置２について説明する。
【００２５】
図８（Ａ）及び図８（Ｂ）は、実施形態２の通信装置２の斜視図である。図８（Ａ）は通信装置２を底面側から見た図であり、図８（Ｂ）は通信装置２を上面側から見た図である。通信装置２は、実施形態１の通信装置１と同じく、無線端末をネットワークに接続するための無線通信機器である。通信装置２の構成は、スプリングヒンジ２０にプレート３０が取り付けられている以外は実施形態１の通信装置１と同じである。
【００２６】
図９（Ａ）はプレート３０が取り付けられたスプリングヒンジ２０の斜視図である。スプリングヒンジ２０は、プレート２１（第１のプレート）と、プレート２２（第２のプレート）と、スプリング２３と、シャフト２４と、を備える。図９（Ｂ）はプレート３０が取り付けられたスプリングヒンジ２０の正面図である。プレート２２は水平状態から更に下側への回転が可能である。プレート２２には、プレート２２を動径方向の外側に向けて延伸するように、プレート３０が固定されている。なお、本実施形態において、動径方向の動径は、スプリングヒンジ２０を回転軸方向（シャフト２４の延伸方向）から見た場合のプレート２２である。
【００２７】
プレート３０（第３のプレート）は、動径方向に細長のプレートである。プレート３０は、通信装置設置のための補助部品となる。プレート３０の動径方向の外側の端部は、プレート２２の内面側に向けて湾曲している。内面とは、スプリング２３がプレート２１、２２に回転圧力を加えたときの、プレート２１或いはプレート２２の進行方向側の面（外面）の反対面のことである。プレート３０は、長手方向が動径方向となるようにプレート２２に固定され、プレート２２と一体となっている。
【００２８】
次に、このような構成を有する通信装置２の設置方法を説明する。
【００２９】
まず、ユーザは天井Ｂに埋込部１０ａの径より若干大きな径の穴Ｈを開ける。そして、ユーザは、通信ケーブルＣを穴Ｈから引き出す。通信ケーブルＣが給電できないタイプのケーブルの場合は、電源ケーブルも穴Ｈから引き出す。そして、ユーザはこれらのケーブルを通信装置２に接続する。図１０（Ａ）は通信装置２に通信ケーブルＣを接続した様子を示す図である。
【００３０】
次に、ユーザは、プレート３０が取り付けられたプレート２２を垂直状態にする。そして、ユーザは、プレート２２が垂直状態を維持できるように、プレート３０をテープＴで固定する。図１０（Ｂ）はプレート３０を垂直状態で固定した様子を示す図である。そして、ユーザは、図１１に示すように、プレート３０の上側を穴Ｈに挿入する。挿入が完了したら、ユーザはプレート３０からテープＴを取り外す。図１２（Ａ）はプレート３０からテープＴを取り外した様子を示す図である。
【００３１】
プレート３０からテープＴが取り外されると、プレート２２はスプリング２３から加えられる回転圧力によってプレート３０とともに垂直回転する。そして、プレート２２は、図１２（Ｂ）に示すように、プレート３０とともに埋込部１０ａの側方に突出し、天井Ｂの裏面（上面）に引っかかる。プレート２２にはスプリング２３によって下向き（図１２（Ｂ）に示す白抜き矢印の方向）の回転圧力が加えられている。そのため、プレート２２は、垂直回転により、プレート３０を介して、天井Ｂの裏面に下向きに圧力を加える。この反作用で筐体１０が持ち上がる。その後、露出部１０ｂの端部（周縁）が天井Ｂの表面（下面）に引っかかることにより、通信装置２の設置が完了する。
【００３２】
本実施形態によれば、通信装置２はスプリングヒンジ２０にプレート３０が取り付けられているので、通信装置２の天井Ｂへの設置は容易である。プレート３０の動径方向外側の端部はプレート２２の内面側に湾曲しているので、穴Ｈへの通信装置２の挿入も容易である。また、スプリングヒンジ２０は、プレート２２が側方に突出しているときに、プレート２２に下向きの回転圧力が加わるよう固定されており、さらに、プレート２２は水平状態から更に下側への回転が可能である。従って、例え、図１３に示すように埋込部１０ａの厚さｔが厚かったとしても、プレート３０の動径方向外側の端部が天井Ｂの裏面に届く。従って、通信装置２にかなりの厚みがあっても、その設置が困難になることはない。
【００３３】
また、プレート３０の動径方向外側の端部はプレート２２の内面側に湾曲している。そのため、通信装置２を天井Ｂに設置する際に、又は、通信装置２を天井Ｂから取り外す際に、プレート３０が天井Ｂの穴Ｈに引っかかり天井Ｈが傷つくことはあまりない。
【００３４】
上述の各実施形態はそれぞれ一例を示したものであり、種々の変更及び応用が可能である。
【００３５】
例えば、実施形態１、２では、通信装置１、２は、無線ＬＡＮアクセスポイント、或いはＢｌｕｅｔｏｏｔｈ（登録商標）通信機であるものとした。しかしながら、通信装置１、２は、これらに限定されない。例えば、通信装置１、２は、ＵＷＢ通信機（例えば、ＵＷＢアクセスポイント）、ＺｉｇＢｅｅ（登録商標）通信機、携帯電話基地局であってもよい。
【００３６】
また、実施形態１、２では、通信装置１、２は、受信と送信が可能な装置であるものとしたが、通信装置１、２は送信機であってもよい。例えば、通信装置１、２は、ＧＰＳ（Global Positioning System）信号等の測位信号を地上で送信する装置、例えば、ＩＭＥＳ（Indoor Messaging System）送信機であってもよい。ＩＭＥＳは、準天頂衛星システムユーザインタフェース仕様書（ＩＳ−ＱＺＳＳ）等で規定されている。送信機から出力される信号はテレビ放送やラジオ放送の電波であってもよい。また、送信機から出力される信号は電波でなくてもよい。例えば、信号は、レーザー、音波／超音波、光（例えば、赤外線）であってもよい。
【００３７】
また、通信装置１、２は受信機であってもよい。例えば、通信装置１、２は、携帯端末が発する一定の信号強度の電波をキャッチして、周囲での携帯端末の使用の有無を検知する装置であってもよい。また、受信機が受信する信号は電波でなくてもよい。例えば、信号は、レーザー、音波／超音波、光（例えば、赤外線）であってもよい。
【００３８】
また、実施形態１、２では、スプリングヒンジ２０は埋込部１０ａに２つ固定されるものとしたが、スプリングヒンジ２０の数は２つに限られない。２つより多くのスプリングヒンジ２０が埋込部１０ａに固定されていてもよい。例えば、埋込部１０ａの上面に周縁に沿って等間隔に３つのスプリングヒンジ２０が固定されていてもよい。また、スプリングヒンジ２０は埋込部１０ａに１つのみ固定されていてもよい。
【００３９】
図１４は、スプリングヒンジ２０を１つのみ有する通信装置１Ａを示す図である。図１４に示すように、埋込部１０ａの上面には、一部が側方に突出するようにプレート４０（第４のプレート）が固定されている。埋込部１０ａに側方への突出部が形成されるのであれば、プレート４０は必ずしも埋込部１０ａに固定されていなくもよい。そして、埋込部１０ａの上面中央を挟んでプレート４０（或いは突出部）と対向する位置にスプリングヒンジ２０が１つ固定されている。スプリングヒンジ２０のプレート２２には、実施形態２で説明したように、プレート３０が固定されていてもよい。
【００４０】
また、実施形態１、２では、スプリングヒンジ２０のプレート２１は埋込部１０ａの上面に固定されるものとした。しかしながら、プレート２２が垂直回転できるのであれば、プレート２１が固定される位置は埋込部１０ａの上面に限定されない。例えば、プレート２２が固定される位置は、埋込部１０ａの側面（周面）であってもよい。また、実施形態１、２では、プレート２１は埋込部１０ａに直接固定されていたが、金具や緩衝材等の部品を介して埋込部１０ａに間接的に固定されていてもよい。
【００４１】
また、実施形態１、２では、スプリングヒンジ２０は、プレート２２が埋込部１０ａの側方に突出したときに、プレート２２に下向きの回転圧力が加わるよう配置されていた。しかしながら、プレート２２が埋込部１０ａの側方に突出したときに、プレート２２に上向きの回転圧力が加わるよう配置されていてもよい。
【００４２】
また、実施形態１、２では、スプリングヒンジ２０は、プレート２２が水平状態から更に下側への回転が可能となるよう構成されていた。しかしながら、プレート２２の回転可能範囲は任意に変更可能である。例えば、スプリングヒンジ２０は、プレート２２が水平状態でこれ以上回転できないよう構成されていてもよい。
【００４３】
また、実施形態２では、プレート２２は垂直回転によりプレート３０とともに埋込部１０ａの側方に突出するものとした。しかしながら、プレート３０が側方向に突出するのであれば、プレート２２は必ずしも突出しなくてもよい。なお、実施形態２ではプレート２２を第２のプレート、プレート３０を第３のプレートとしたが、一体となったプレート２２及びプレート３０を第２のプレートとみなすことも可能である。
【００４４】
また、実施形態１、２では、スプリングヒンジ２０は平蝶番で構成されるものとしたが、スプリングヒンジ２０の構成部品は必ずしも平蝶番でなくてもよい。例えば、スプリングヒンジ２０は、旗蝶番、平行型蝶番、段付蝶番、或いはスエージング型蝶番で構成されていてもよい。
【００４５】
また、実施形態２では、プレート３０の動径方向の外側の端部は、プレート２２の内面側に向けて湾曲しているものとした。しかしながら、プレート３０の動径方向の外側の端部は、プレート２２の外面側に向けて湾曲していてもよい。図１５（Ａ）は、端部がプレート２２の外面側に向けて湾曲したプレート３０Ａ（第３のプレート）を備える通信装置２Ａを示す図である。通信装置２Ａは、受信機或いは送信機であってもよい。プレート３０Ａは、プレート２２を動径方向の外側に向けて延伸する延伸部３１と、延伸部３１の動径方向の外側に位置し、プレート３０Ａをプレート２２の外面側に向けて湾曲させる曲部ｂ１と、を備えている。
【００４６】
また、プレート３０の動径方向の外側の端部は、プレート２２の外面側に向けて屈曲していてもよい。図１５（Ｂ）は、端部がプレート２２の外面側に向けて屈曲したプレート３０Ｂ（第３のプレート）を備える通信装置２Ａを示す図である。プレート３０Ｂは、プレート２２を動径方向の外側に向けて延伸する延伸部３１と、延伸部３１の動径方向の外側に位置し、プレート３０Ｂをプレート２２の外面側に向けて屈曲させる曲部ｂ２と、を備えている。
【００４７】
プレート３０Ａ、３０Ｂの端部を湾曲或いは屈曲させることにより、通信装置２Ａを設置または取り外す際に、プレート端部が天井Ｂに引っかかる。これにより、通信装置２Ａは、一時的に、天井Ｂにぶらさがる。この結果、ユーザは、プレート３０Ａ、３０ＢにテープＴを巻いたり取り外したりするのが容易になる。また、通信装置２Ａに地震等で外力が加わって、通信装置２Ａが天井Ｂから落ちそうになっても、プレート端部が天井Ｂに引っかかる。よって、地震等による通信装置２Ａの落下はあまり発生しない。
【００４８】
なお、第３のプレートの形状はプレート３０、３０Ａ、３０Ｂの形状に限定されない。図１６は、２箇所の曲部を備えるプレート３０Ｃを示す図である。プレート３０Ｃ（第３のプレート）は、プレート２２を動径方向の外側に向けて延伸する延伸部３１と、プレート２２の外面側に向けて突出する突出部３２と、プレート２２が水平状態にあるときにプレート２２の内面側に向けて傾斜する傾斜部３３と、端部３４と、を備える。プレート３０Ｃは、延伸部３１の動径方向の外側に位置し、プレート３０Ｃをプレート２２の外面側に向けて湾曲或いは屈曲させる曲部ｂ３、ｂ４と、を備えている。
【００４９】
図１７はプレート３０Ｃを備える通信装置２Ｂを示す図である。通信装置２Ｂは、受信機或いは送信機であってもよい。プレート３０Ｃが曲部ｂ３を備えることにより、通信装置２Ｂを設置または取り外す際に、プレート３０Ｃの端部３４が天井Ｂに引っかかる。これにより、通信装置２Ｂが天井にぶら下がる。その結果、ユーザは、プレート３０ＣにテープＴを巻いたり取り外したりするのが容易になる。また、通信装置２Ｂに地震等で外力が加わっても、端部３４が天井Ｂに引っかかるので、通信装置２Ｂの落下はあまり発生しない。
【００５０】
図１８（Ａ）は、埋込部１０ａの厚さが薄い通信装置２Ｂを天井Ｂに設置した様子を示す図である。また、図１８（Ｂ）は、埋込部１０ａの厚さが厚い通信装置２Ｂを天井Ｂに設置した様子を示す図である。埋込部１０ａが薄い場合も厚い場合も、プレート３０Ｃの突出部３２が天井Ｂの裏面に押し付けられる。その反作用で筐体１０が持ち上がり、露出部１０ｂの端部が天井Ｂの表面に引っかかることにより、通信装置２Ｂの設置が完了する。
【００５１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【符号の説明】
【００５２】
１、１Ａ、２、２Ａ、２Ｂ...通信装置
１０...筐体
１０ａ...埋込部
１０ｂ...露出部
１１...通信ケーブルコネクタ
１２...電源ケーブルコネクタ
２０...スプリングヒンジ
２１、２２、３０、３０Ａ、３０Ｂ、３０Ｃ、４０...プレート
２３...スプリング
２４...シャフト
３１...延伸部
３２...突出部
３３...傾斜部
３４...端部
Ｂ...天井
Ｃ...通信ケーブル
Ｈ...穴
Ｔ...テープ
ｂ１、ｂ２、ｂ３、ｂ４...曲部
【図１】
0006695187.tif 000002
【図２】
0006695187.tif 000003
【図３】
0006695187.tif 000004
【図４】
0006695187.tif 000005
【図５】
0006695187.tif 000006
【図６】
0006695187.tif 000007
【図７】
0006695187.tif 000008
【図８】
0006695187.tif 000009
【図９】
0006695187.tif 000010
【図１０】
0006695187.tif 000011
【図１１】
0006695187.tif 000012
【図１２】
0006695187.tif 000013
【図１３】
0006695187.tif 000014
【図１４】
0006695187.tif 000015
【図１５】
0006695187.tif 000016
【図１６】
0006695187.tif 000017
【図１７】
0006695187.tif 000018
【図１８】
0006695187.tif 000019